【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
連続的な観察光を発生する観察光源と、パルス状の可視光を発生する撮影光源と、前記観察光源と撮影光源の光を被検眼に導く第一光学系とを有する照明手段と、
前記照明手段により照明された被検眼を撮像する撮像手段と、
前記照明手段により照明された被検眼からの反射光を前記撮像手段へ導く第二光学系と、
前記第二光学系の光軸の方向に延び前記撮像手段へ向かう第一光路と、前記第一光路とは異なる方向の第二光路とに前記反射光を分割する光分割手段と、
前記第二光路に設けられ、照明された被検眼を観察するための光学ファインダと、
前記観察光を被検眼に照射しながら前記撮像手段で撮像して得られた動画像を用いて、前記撮影光源の発光量を設定する設定手段と、
前記設定手段による設定の後、前記撮影光源を駆動して前記撮像手段により静止画像を撮影する駆動手段とを備えることを特徴とする眼科装置。
【請求項２】
前記観察光源は、可視光と赤外光を含む観察光を連続的に発光し、
前記光分割手段は、前記観察光に含まれている赤外光を前記第一光路へ分岐し、前記反射光に含まれている可視光を前記第二光路へ分岐し、
前記設定手段は、前記撮像手段が前記赤外光を検出して取得した動画像に基づいて、前記撮影光源の発光量の設定を行うことを特徴とする請求項１に記載の眼科装置。
【請求項３】
前記観察光源から、可視光と赤外光を含む第一の観察光か、可視光を含まず赤外光を含む第二の観察光のいずれかを前記第一光学系へ供給させる選択手段と、
前記選択手段により前記第二の観察光を前記第一光学系へ供給させ、前記光分割手段を前記光軸から退避させた状態で前記撮像手段により撮像された動画像を表示させる表示制御手段とを更に備えることを特徴とする請求項１または２に記載の眼科装置。
【請求項４】
前記観察光源は、可視光と赤外光を含む前記第一の観察光を連続的に発光し、
前記選択手段は、フィルタを用いて前記第二の観察光を前記観察光源から前記第一光学系に供給させることを特徴とする請求項３に記載の眼科装置。
【請求項５】
前記観察光源は、可視光を含み赤外光を含まない観察光を出力する第一光源と、赤外光を含み可視光を含まない観察光を出力する第二光源とを備え、
前記選択手段は、前記第一の観察光を前記第一光源と前記第二光源を駆動することで取得し、前記第二の観察光を前記第二光源のみを駆動することで取得することを特徴とする請求項３に記載の眼科装置。
【請求項６】
前記選択手段は、更に前記第一光源が出力する観察光を前記第一光学系に供給させることができ、
前記表示制御手段は、前記選択手段により前記第一光源が出力する観察光を前記第一光学系へ供給させ、前記光分割手段を前記光軸から退避させた状態で前記撮像手段により撮像された動画像を表示させることを特徴とする請求項５に記載の眼科装置。
【請求項７】
前記第二光学系はさらにオートフォーカス機構を有し、
前記設定手段は、前記動画像を用いて、さらに前記オートフォーカス機構におけるフォーカス位置を設定することを特徴とする請求項１乃至６のいずれか１項に記載の眼科装置。
【請求項８】
前記光分割手段は、前記第二光学系の光軸に対して挿脱可能に設けられ、
前記設定手段は、前記光分割手段が前記光軸上に挿入された状態で得られた動画像を用いて前記撮影光源の発光量を設定し、
前記駆動手段は、前記光分割手段を前記光軸上から退避させた状態で前記静止画像の撮影を行うことを特徴とする請求項１乃至７のいずれか１項に記載の眼科装置。
【請求項９】
連続的な観察光を発生する観察光源と、パルス状の可視光を発生する撮影光源と、前記観察光源と撮影光源の光を被検眼に導く第一光学系とを有する照明手段と、
前記照明手段により照明された被検眼を撮像する撮像手段と、
前記照明手段により照明された被検眼からの反射光を前記撮像手段へ導く第二光学系と、
前記第二の光学系の光軸の方向に延び前記撮像手段へ向かう第一光路と、前記第一光路とは異なる方向の第二光路とに前記反射光を分割する光分割手段と、
前記第二光路に設けられ、照明された被検眼を観察するための光学ファインダとを備える眼科装置の制御方法であって、
設定手段が、前記観察光を被検眼に照射しながら前記撮像手段で撮像して得られた動画像を用いて、前記撮影光源の発光量を設定する設定工程と、
駆動手段が、前記設定工程による設定の後、前記撮影光源を駆動して前記撮像手段により静止画像を撮影する駆動工程とを有することを特徴とする眼科装置の制御方法。
【請求項１０】
被検眼を照明する照明手段と、
前記照明された前記被検眼からの反射光に基づいて撮像手段により撮像された前記被検眼の動画像を取得する取得手段と、
前記取得された動画像に基づいて決定された前記照明手段の照明条件で前記撮像手段により撮像された前記被検眼の静止画を取得するように、前記照明手段を制御する制御手段と、を有することを特徴とする眼科装置。
【請求項１１】
前記被検眼の動画像を取得する場合に、前記撮像手段が設けられた撮影光学系の光路に挿入され、前記反射光の一部を光学ファインダへ導く光分割手段を更に備え、
前記光分割手段は、前記被検眼の静止画撮影において前記撮影光学系の前記光路から退避されることを特徴とする請求項１０に記載の眼科装置。
【請求項１２】
前記取得された動画像に基づいて前記照明条件を決定する決定手段を更に有し、
前記制御手段は、前記決定された照明条件で前記撮像手段により撮像された前記被検眼の静止画を取得するように、前記照明手段を制御することを特徴とする請求項１０または１１に記載の眼科装置。
【請求項１３】
照明手段により照明された被検眼からの反射光に基づいて撮像手段により撮像された前記被検眼の動画像を取得する工程と、
前記取得された動画像に基づいて決定された前記照明手段の照明条件で前記撮像手段により撮像された前記被検眼の静止画を取得するように、前記照明手段を制御する工程と、を有することを特徴とする眼科装置の制御方法。
【請求項１４】
前記取得された動画像に基づいて前記照明条件を決定する工程を更に有し、
前記制御する工程において、前記決定された照明条件で前記撮像手段により撮像された前記被検眼の静止画を取得するように、前記照明手段を制御することを特徴とする請求項１３に記載の眼科装置の制御方法。
【請求項１５】
被検眼の動画像を取得する取得手段と、
前記取得された動画像に基づいて前記被検眼を撮影する撮影光源の発光量を決定する決定手段と、を有することを特徴とする処理装置。
【請求項１６】
被検眼の動画像を取得する取得工程と、
前記取得された動画像に基づいて前記被検眼を撮影する撮影光源の発光量を決定する決定工程と、を有することを特徴とする処理方法。
【請求項１７】
請求項９，１３，１４のいずれか１項に記載された眼科装置の制御方法の各工程をコンピュータに実行させるためのプログラム。
【請求項１８】
請求項１６に記載された処理方法の各工程をコンピュータに実行させるためのプログラム。
【手続補正２】
【補正対象書類名】明細書
【補正対象項目名】発明の名称
【補正方法】変更
【補正の内容】
【発明の名称】眼科装置及びその制御方法、処理装置、処理方法、プログラム
【手続補正３】
【補正対象書類名】明細書
【補正対象項目名】０００１
【補正方法】変更
【補正の内容】
【０００１】
本発明は、眼科装置及びその制御方法、処理装置、処理方法、プログラムに関するものである。
【手続補正４】
【補正対象書類名】明細書
【補正対象項目名】０００７
【補正方法】変更
【補正の内容】
【０００７】
本発明は上述した課題に鑑みてなされたものであり、装置を複雑化することなく、低コストで精度よくＡＥ検出及び／またはＡＦ検出が可能となる眼科装置を提供可能することを目的とする。
【手続補正５】
【補正対象書類名】明細書
【補正対象項目名】０００８
【補正方法】変更
【補正の内容】
【０００８】
上記目的を達成するための本発明の一態様による眼科装置は以下の構成を備える。すなわち、
連続的な観察光を発生する観察光源と、パルス状の可視光を発生する撮影光源と、前記観察光源と撮影光源の光を被検眼に導く第一光学系とを有する照明手段と、
前記照明手段により照明された被検眼を撮像する撮像手段と、
前記照明手段により照明された被検眼からの反射光を前記撮像手段へ導く第二光学系と、
前記第二光学系の光軸の方向に延び前記撮像手段へ向かう第一光路と、前記第一光路とは異なる方向の第二光路とに前記反射光を分割する光分割手段と、
前記第二光路に設けられ、照明された被検眼を観察するための光学ファインダと、
前記観察光を被検眼に照射しながら前記撮像手段で撮像して得られた動画像を用いて、前記撮影光源の発光量を設定する設定手段と、
前記設定手段による設定の後、前記撮影光源を駆動して前記撮像手段により静止画像を撮影する駆動手段とを備える。
【手続補正６】
【補正対象書類名】明細書
【補正対象項目名】０００９
【補正方法】変更
【補正の内容】
【０００９】
本発明によれば、装置を複雑化することなく、低コストで精度よくＡＥ検出及び／またはＡＦ検出が可能となる眼科装置を提供することができる。